Podtech/llm-jp-corpus-v4-ja_patent huggingface dataset:
【手続補正書】
【提出日】平成17年3月17日(2005.3.17)
【手続補正１】
【補正対象書類名】明細書
【補正対象項目名】００７６
【補正方法】変更
【補正の内容】
【００７６】
上記した第２の実施の形態にかかるＣＤ−ＲＯＭのチャッキング機構にあっては、コイルバネ２４０の一端部はチャックフィン２３０の基部２３１に形成された位置決め凹部２３１ａ内に内嵌状に位置されるので、従来のようにチャックフィンｅに形成された嵌合ピンｈに外嵌されて位置決めされるのに比較して、コイルバネ２４０の径を小さくすることができる。コイルバネ２４０の径を小さくすることができれば、その分、該コイルバネ２４０が配置される空間、すなわち、配置凹部２２０の大きさ、特に、厚み方向の大きさを小さくすることができ、これを使用した装置、上記例では、ＣＤ−ＲＯＭドライブ１の厚みを小さくすることができる。
【手続補正２】
【補正対象書類名】図面
【補正対象項目名】図１
【補正方法】変更
【補正の内容】
【図１】
1999306627.tif 000001
【手続補正３】
【補正対象書類名】図面
【補正対象項目名】図２
【補正方法】変更
【補正の内容】
【図２】
1999306627.tif 000002
【手続補正４】
【補正対象書類名】図面
【補正対象項目名】図４
【補正方法】変更
【補正の内容】
【図４】
1999306627.tif 000003
【手続補正５】
【補正対象書類名】図面
【補正対象項目名】図５
【補正方法】変更
【補正の内容】
【図５】
1999306627.tif 000004
【手続補正６】
【補正対象書類名】図面
【補正対象項目名】図６
【補正方法】変更
【補正の内容】
【図６】
1999306627.tif 000005
【手続補正７】
【補正対象書類名】図面
【補正対象項目名】図７
【補正方法】変更
【補正の内容】
【図７】
1999306627.tif 000006
【手続補正８】
【補正対象書類名】図面
【補正対象項目名】図８
【補正方法】変更
【補正の内容】
【図８】
1999306627.tif 000007
【手続補正９】
【補正対象書類名】図面
【補正対象項目名】図１０
【補正方法】変更
【補正の内容】
【図１０】
1999306627.tif 000008
【手続補正１０】
【補正対象書類名】図面
【補正対象項目名】図１１
【補正方法】変更
【補正の内容】
【図１１】
1999306627.tif 000009
【手続補正１１】
【補正対象書類名】図面
【補正対象項目名】図１２
【補正方法】変更
【補正の内容】
【図１２】
1999306627.tif 000010
【手続補正１２】
【補正対象書類名】図面
【補正対象項目名】図１３
【補正方法】変更
【補正の内容】
【図１３】
1999306627.tif 000011
【手続補正１３】
【補正対象書類名】図面
【補正対象項目名】図１６
【補正方法】変更
【補正の内容】
【図１６】
1999306627.tif 000012
【手続補正１４】
【補正対象書類名】図面
【補正対象項目名】図１７
【補正方法】変更
【補正の内容】
【図１７】
1999306627.tif 000013
【手続補正１５】
【補正対象書類名】図面
【補正対象項目名】図１８
【補正方法】変更
【補正の内容】
【図１８】
1999306627.tif 000014
【手続補正１６】
【補正対象書類名】図面
【補正対象項目名】図１９
【補正方法】変更
【補正の内容】
【図１９】
1999306627.tif 000015
【手続補正１７】
【補正対象書類名】図面
【補正対象項目名】図２０
【補正方法】変更
【補正の内容】
【図２０】
1999306627.tif 000016
【手続補正１８】
【補正対象書類名】図面
【補正対象項目名】図２１
【補正方法】変更
【補正の内容】
【図２１】
1999306627.tif 000017
【手続補正１９】
【補正対象書類名】図面
【補正対象項目名】図２２
【補正方法】変更
【補正の内容】
【図２２】
1999306627.tif 000018
【手続補正２０】
【補正対象書類名】図面
【補正対象項目名】図２５
【補正方法】変更
【補正の内容】
【図２５】
1999306627.tif 000019
【手続補正２１】
【補正対象書類名】図面
【補正対象項目名】図２６
【補正方法】変更
【補正の内容】
【図２６】
1999306627.tif 000020
【手続補正２２】
【補正対象書類名】図面
【補正対象項目名】図２７
【補正方法】変更
【補正の内容】
【図２７】
1999306627.tif 000021
【手続補正書】
【提出日】平成16年2月16日(2004.2.16)
【手続補正１】
【補正対象書類名】明細書
【補正対象項目名】特許請求の範囲
【補正方法】変更
【補正の内容】
【特許請求の範囲】
【請求項１】
所定の情報の記録を担う情報記録媒体において、
前記所定の情報の記録を担う情報記録エリアと、
この情報記録媒体に記録されている前記所定の情報を含む全情報をコピーしようとするコピー装置に混乱を生じさせるトラップエリアと、
を備えたことを特徴とするコピープロテクト機能付き情報記録媒体。
【請求項２】
所定の情報の記録を担う記録媒体において、
前記所定の情報の再生時に再生されるエリアであって、前記所定の情報の記録を担う情報記録エリアと、
前記所定の情報の再生時には再生されないエリアであって、この情報記録媒体に記録されている前記所定の情報を含む全情報をコピーしようとする装置に混乱を生じさせるトラップエリアと、
を備えたことを特徴とするコピープロテクト機能付き情報記録媒体。
【請求項３】
所定の情報の記録を担う情報記録媒体において、
この情報記録媒体の再生に必要な情報の記録を担うリードインエリアと、
前記リードインエリア外に設けられたエリアでり、且つ前記所定の情報の再生時に再生されるエリアであって、前記所定の情報の記録を担う情報記録エリアと、
前記リードインエリア内に設けられたエリアであり、且つ前記所定の情報の再生時には再生されないエリアであって、この情報記録媒体に記録されている前記所定の情報を含む全情報をコピーしようとする装置に混乱を生じさせるトラップエリアと、
を備えたことを特徴とするコピープロテクト機能付き情報記録媒体。
【請求項４】
所定の情報の記録を担う情報記録媒体において、
前記所定の情報の記録を担う情報記録エリアと、
前記情報記録エリア内に設けられたエリアであり、且つ前記所定の情報の再生時には再生されないエリアであって、この情報記録媒体に記録されている前記所定の情報を含む全情報をコピーしようとする装置に混乱を生じさせるトラップエリアと、
を備えたことを特徴とするコピープロテクト機能付き情報記録媒体。
【請求項５】
情報記録媒体に記録されている情報を再生する再生手段と、
前記再生手段により再生された再生情報に基づき、前記情報記録媒体に記録されている情報が不正にコピーされた不正コピー情報に該当するか否かを検出する不正コピー検出手段と、
を備えたことを特徴とする不正コピー検出装置。
【請求項６】
情報記録媒体に記録されている情報を再生する第１のステップと、
前記第１のステップにより再生された再生情報に基づき、前記情報記録媒体に記録されている情報が不正にコピーされた不正コピー情報に該当するか否かを検出する第２のステップと、
を備えたことを特徴とする不正コピー検出方法。
【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
複数の画像データを管理する画像処理装置であって、
画像データを入力する入力手段と、
前記入力手段によって入力された画像データを所定サイズの領域毎に分割する分割手段と、
前記分割手段で分割された領域の内容を解析する解析手段と、
前記分割手段で分割された領域の内、隣接領域同士の前記解析手段による解析内容が同一である場合、該隣接領域同士を結合する結合手段と、
前記結合手段による結合を実行した後に得られる領域群の属性を、前記解析手段の解析結果に基づいて決定する場合、文字が含まれる領域と解析される領域の隣接領域の属性及び位置に基づいて、前記文字が含まれる領域の属性をキャプションに決定する決定手段と、
前記解析手段の解析結果及び前記決定手段の決定結果に基づいて、前記画像データを属性毎の領域に分割し、その分割された領域を互いに対応づけて管理する管理手段と
を備えることを特徴とする画像処理装置。
【請求項２】
前記属性は、少なくともイメージ、図・表、グラフ、本文、キャプション、見出し、小見出し、ページ、ノイズの種類を有し、
前記決定手段は、前記文字が含まれる領域の隣接領域の属性がグラフであり、その位置が該領域の上／下の接近した位置に存在する場合、該領域の属性をキャプションに決定する
ことを特徴とする請求項１に記載の画像処理装置。
【請求項３】
前記管理手段は、前記文字が含まれる領域に対し文字認識を実行する文字認識手段と
を備えることを特徴とする請求項１に記載の画像処理装置。
【請求項４】
前記管理手段は、前記属性がキャプションの領域とその隣接領域を関連づけて管理する
ことを特徴とする請求項１に記載の画像処理装置。
【請求項５】
複数の画像データを管理する画像処理装置であって、
前記画像データを属性毎の領域に分割して管理する管理手段と、
前記管理手段で管理される各画像データから所定の属性の領域を抽出する抽出手段と、
検索条件とする単語を指定する指定手段によって指定された単語と、前記抽出手段で抽出された領域内の文字を照合する照合手段と、
前記照合手段の照合結果に基づいて、前記所定の属性の領域を有する画像データを出力する出力手段と
を備えることを特徴とする画像処理装置。
【請求項６】
前記所定の属性は、キャプションである
ことを特徴とする請求項５に記載の画像処理装置。
【請求項７】
前記出力手段は、更に、前記所定の属性の領域と関連付けて管理されている領域を出力することを可能とする
ことを特徴とする請求項５に記載の画像処理装置。
【請求項８】
複数の画像データを管理する画像処理方法であって、
画像データを入力する入力工程と、
前記入力工程で入力された画像データを所定サイズの領域毎に分割する分割工程と、
前記分割工程で分割された領域の内容を解析する解析工程と、
前記分割工程で分割された領域の内、隣接領域同士の前記解析工程による解析内容が同一である場合、該隣接領域同士を結合する結合工程と、
前記結合工程による結合を実行した後に得られる領域群の属性を、前記解析工程の解析結果に基づいて決定する場合、文字が含まれる領域と解析される領域の隣接領域の属性及び位置に基づいて、前記文字が含まれる領域の属性をキャプションに決定する決定工程と、
前記解析工程の解析結果及び前記決定工程の決定結果に基づいて、前記画像データを属性毎の領域に分割し、その分割された領域を互いに対応づけて記憶媒体に管理する管理工程と
を備えることを特徴とする画像処理方法。
【請求項９】
前記属性は、少なくともイメージ、図・表、グラフ、本文、キャプション、見出し、小見出し、ページ、ノイズの種類を有し、
前記決定工程は、前記文字が含まれる領域の隣接領域の属性がグラフであり、その位置が該領域の上／下の接近した位置に存在する場合、該領域の属性をキャプションに決定する
ことを特徴とする請求項８に記載の画像処理方法。
【請求項１０】
前記管理工程は、前記文字が含まれる領域に対し文字認識を実行する文字認識工程と
を備えることを特徴とする請求項８に記載の画像処理方法。
【請求項１１】
前記管理工程は、前記属性がキャプションの領域とその隣接領域を関連づけて前記記憶媒体に管理する
ことを特徴とする請求項８に記載の画像処理方法。
【請求項１２】
複数の画像データを管理する画像処理方法であって、
前記画像データを属性毎の領域に分割して記憶媒体に管理する管理工程と、
検索条件とする単語を指定する指定工程と、
前記管理工程で前記記憶媒体に管理される各画像データから所定の属性の領域を抽出する抽出工程と、
前記指定工程で指定された単語と、前記抽出工程で抽出された領域内の文字を照合する照合工程と、
前記照合工程の照合結果に基づいて、前記所定の属性の領域を有する画像データを出力する出力工程と
を備えることを特徴とする画像処理方法。
【請求項１３】
前記所定の属性は、キャプションである
ことを特徴とする請求項１２に記載の画像処理方法。
【請求項１４】
前記出力工程は、更に、前記所定の属性の領域と関連付けて管理されている領域を出力することを可能とする
ことを特徴とする請求項１２に記載の画像処理方法。
【請求項１５】
複数の画像データを管理する画像処理のプログラムコードが格納されたコンピュータ可読メモリであって、
画像データを入力する入力工程のプログラムコードと、
前記入力工程で入力された画像データを所定サイズの領域毎に分割する分割工程のプログラムコードと、
前記分割工程で分割された領域の内容を解析する解析工程のプログラムコードと、
前記分割工程で分割された領域の内、隣接領域同士の前記解析工程による解析内容が同一である場合、該隣接領域同士を結合する結合工程のプログラムコードと、
前記結合工程による結合を実行した後に得られる領域群の属性を、前記解析工程の解析結果に基づいて決定する場合、文字が含まれる領域と解析される領域の隣接領域の属性及び位置に基づいて、前記文字が含まれる領域の属性をキャプションに決定する決定工程のプログラムコードと、
前記解析工程の解析結果及び前記決定工程の決定結果に基づいて、前記画像データを属性毎の領域に分割し、その分割された領域を互いに対応づけて記憶媒体に管理する管理工程のプログラムコードと
を備えることを特徴とするコンピュータ可読メモリ。
【請求項１６】
複数の画像データを管理する画像処理のプログラムコードが格納されたコンピュータ可読メモリであって、
前記画像データを属性毎の領域に分割して記憶媒体に管理する管理工程のプログラムコードと、
検索条件とする単語を指定する指定工程のプログラムコードと、
前記管理工程で前記記憶媒体に管理される各画像データから所定の属性の領域を抽出する抽出工程のプログラムコードと、
前記指定工程で指定された単語と、前記抽出工程で抽出された領域内の文字を照合する照合工程のプログラムコードと、
前記照合工程の照合結果に基づいて、前記所定の属性の領域を有する画像データを出力する出力工程のプログラムコードと
を備えることを特徴とするコンピュータ可読メモリ。
【手続補正書】
【提出日】平成17年3月10日(2005.3.10)
【手続補正１】
【補正対象書類名】明細書
【補正対象項目名】発明の名称
【補正方法】変更
【補正の内容】
【発明の名称】メッセージ集配信システム
【手続補正２】
【補正対象書類名】明細書
【補正対象項目名】特許請求の範囲
【補正方法】変更
【補正の内容】
【特許請求の範囲】
【請求項１】
メッセージを集配信するサーバと、該サーバに接続された端末を有するメッセージ集配信システムであって、
上記端末は、
メッセージフィルタリング制御情報を上記サーバに送信する送受信部を有し、
上記サーバは、
上記メッセージフィルタリング制御情報を受信し、フィルタリングされたメッセージを上記端末に送信する送受信部と、
上記送信されるメッセージを含む複数のメッセージを格納する記憶部と、
上記メッセージフィルタリング情報に従って、上記記憶部に格納された複数のメッセージに対してフィルタリングを行い、上記送信されるメッセージを決定する制御部とを有するメッセージ集配信システム。
【請求項２】
請求項１記載のメッセージ集配信システムであって、
上記サーバの記憶部には、複数のメッセージフィルタリング制御情報が格納されており、
上記端末の送受信部は、上記メッセージフィルタリング制御情報を送信する代りに、上記メッセージフィルタリング制御情報を指定する識別子を上記サーバに送信し、
上記サーバの制御部は、上記記憶部に格納されている複数のメッセージフィルタリング制御情報のうち上記受信した識別子によって指定されたメッセージフィルタリング制御情報に従って、上記フィルタリングを行うことを特徴とするメッセージ集配信システム。
【請求項３】
請求項２記載のメッセージ集配信システムであって、
上記端末の送受信部は、さらにメッセージフィルタリング制御情報の変更もしくは追加もしくは削除のうち少なくともいずれか一つの要求を上記サーバに送信し、
上記サーバの制御部は、上記受信した要求に従って、上記記憶部に格納されている複数のメッセージフィルタリング制御情報の全部または一部の変更もしくは削除、または上記記憶部に新たなメッセージフィルタリング制御情報を追加することを特徴とするメッセージ集配信システム。
【請求項４】
請求項２記載のメッセージ集配信システムであって、
上記端末の送受信部は、上記識別子を送信する際、上記サーバへのアクセスアカウントと、区切り記号とを上記識別子とともに送信することを特徴とするメッセージ集配信システム。
【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
三次元仮想空間内に配置された仮想的な物体を投影面に投射した画像を表示するための画像処理装置において、前記物体上に特定の線を設定し、この物体が仮想空間内を動いたことに連れて前記線によって作られた軌跡の帯に所定のテクスチャをマッピングして表示させることを特徴とする画像処理装置。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
オブジェクト空間内の標的オブジェクトをシューティングするための画像を生成する画像生成装置であって、
標的オブジェクトを含む複数のオブジェクトが配置されるオブジェクト空間を形成するオブジェクト空間形成手段と、
シューティングによるショットがオブジェクトにヒットするか否かをチェックするヒットチェック手段と、
オブジェクト空間内の所与の視点での画像を生成する画像生成手段とを含み、
前記オブジェクト空間形成手段が、
前記シューティングの照準位置に向かって伸びる線状のオブジェクトをオブジェクト空間内に配置することを特徴とする画像生成装置。
【請求項２】
請求項１において、
前記オブジェクト空間形成手段が、
プレーヤの対戦相手による線状オブジェクトをオブジェクト空間内に配置することを特徴とする画像生成装置。
【請求項３】
請求項１又は２において、
前記オブジェクト空間形成手段が、
始点の部分の太さと終点の部分の太さが異なる線状オブジェクトをオブジェクト空間内に配置することを特徴とする画像生成装置。
【請求項４】
請求項３において、
前記オブジェクト空間形成手段が、
視点から遠いほどその太さが太い線状オブジェクトをオブジェクト空間内に配置することを特徴とする画像生成装置。
【請求項５】
請求項１乃至４のいずれかにおいて、
標的オブジェクトが所与の照準範囲に入ったか否かを判断し、照準範囲に入った場合には、前記線状オブジェクトの終点を、該標的オブジェクトに追尾させる処理を行う終点処理手段を含むことを特徴とする画像生成装置。
【請求項６】
請求項５において、
前記終点処理手段が、
標的オブジェクトが前記照準範囲から外れた場合に、前記線状オブジェクトの終点を定位置に戻す処理を行うことを特徴とする画像生成装置。
【請求項７】
請求項１乃至６のいずれかにおいて、
前記線状オブジェクトにマッピングするテクスチャを、前記線状オブジェクトの種類に応じて変化させて前記線状オブジェクトにマッピングするテクスチャマッピング手段を含むことを特徴とする画像生成装置。
【請求項８】
請求項１乃至７のいずれかにおいて、
前記テクスチャマッピング手段が、
テクスチャ空間において原像領域をリアルタイムに移動させながら、該原像領域にあるテクスチャを前記線状オブジェクトにマッピングすることを特徴とする画像生成装置。
【請求項９】
請求項１乃至８のいずれかにおいて、
前記画像生成手段が、
前記線状オブジェクトの終点に表示される照準オブジェクトの画像を生成することを特徴とする画像生成装置。
【請求項１０】
請求項９において、
前記オブジェクト空間形成手段が、前記線状オブジェクトの終点のスクリーン上への透視投影位置に前記照準オブジェクトを配置することで、前記画像生成手段が、前記照準オブジェクトの画像を生成することを特徴とする画像生成装置。
【請求項１１】
請求項９において、
前記オブジェクト空間形成手段が、オブジェクト空間内における前記線状オブジェクトの終点に前記照準オブジェクトを配置することで、前記画像生成手段が、前記照準オブジェクトの画像を生成することを特徴とする画像生成装置。
【請求項１２】
請求項９乃至１１のいずれかにおいて、
前記線状オブジェクトの終点の移動に伴い前記照準オブジェクトが移動した場合に、前記照準オブジェクトの形状を変形する形状変形手段を含むことを特徴とする画像生成装置。
【請求項１３】
請求項１２において、
前記形状変形手段が、
前のフレームでの照準オブジェクトの位置に基づいて、現在のフレームでの照準オブジェクトの形状を変形することを特徴とする画像生成装置。
【請求項１４】
オブジェクト空間内の標的オブジェクトをシューティングするための画像を生成するための、コンピュータ読み取り可能な情報記憶媒体であって、
標的オブジェクトを含む複数のオブジェクトが配置されるオブジェクト空間を形成するオブジェクト空間形成手段と、
シューティングによるショットがオブジェクトにヒットするか否かをチェックするヒットチェック手段と、
オブジェクト空間内の所与の視点での画像を生成する画像生成手段として、
コンピュータを機能させるプログラムを記憶し、
前記オブジェクト空間形成手段が、
前記シューティングの照準位置に向かって伸びる線状のオブジェクトをオブジェクト空間内に配置することを特徴とする情報記憶媒体。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
オブジェクト空間内の所与の視点での画像を生成する画像生成装置であって、
第１、第２のオブジェクトを含む複数のオブジェクトが配置されるオブジェクト空間を形成するオブジェクト空間形成手段と、
前記第１のオブジェクトをオブジェクト空間内で移動させるための演算を行う移動体演算手段と、
前記第１のオブジェクトと前記第２のオブジェクトとの位置関係に基づいて前記第２のオブジェクトの画像を変更する画像変更手段と、
オブジェクト空間内の所与の視点での画像を生成する画像生成手段とを含むことを特徴とする画像生成装置。
【請求項２】
請求項１において、
前記画像変更手段が、
前記第１のオブジェクトの位置により特定される所与のエリアに前記第２のオブジェクトが入った場合に、前記第２のオブジェクトの画像を変更することを特徴とする画像生成装置。
【請求項３】
請求項２において、
前記画像変更手段が、
前記第１のオブジェクトと前記第１のオブジェクトに追従する視点との間に設けられた所与のエリアに、前記第２のオブジェクトが入った場合に、前記第２のオブジェクトの画像を変更することを特徴とする画像生成装置。
【請求項４】
請求項２又は３において、
前記画像変更手段が、
前記第１のオブジェクトの位置により中心が特定される扇形の所与のエリアに、前記第２のオブジェクトが入った場合に、前記第２のオブジェクトの画像を変更することを特徴とする画像生成装置。
【請求項５】
請求項１において、
前記画像変更手段が、
前記第２のオブジェクトの位置により特定される所与のエリアに前記第１のオブジェクトが入った場合に、前記第２のオブジェクトの画像を変更することを特徴とする画像生成装置。
【請求項６】
請求項５において、
前記画像変更手段が、
前記第２のオブジェクトの位置により中心が特定される扇形の所与のエリアに、前記第１のオブジェクトが入った場合に、前記第２のオブジェクトの画像を変更することを特徴とする画像生成装置。
【請求項７】
請求項６において、
前記中心が前記第２のオブジェクトの外側にあると共に、扇形の前記所与のエリアが前記第２のオブジェクトに重なるように配置されていることを特徴とする画像生成装置。
【請求項８】
請求項６又は７において、
前記第２のオブジェクトの位置と前記中心との距離、前記扇形の半径、及び前記扇形の中心角の少なくとも１つを、前記第２のオブジェクトの種類に応じて変化させる手段を含むことを特徴とする画像生成装置。
【請求項９】
請求項１乃至８のいずれかにおいて、
前記第１のオブジェクトが、前記オブジェクト空間内において移動する移動体であり、前記第２のオブジェクトが、前記オブジェクト空間内においてその位置が固定される固定物であることを特徴とする画像生成装置。
【請求項１０】
請求項１乃至９のいずれかにおいて、
前記第２のオブジェクトの画像を変更する処理が、
前記第２のオブジェクトを透過表示にする処理、前記第２のオブジェクトを半透明表示にする処理、前記第２のオブジェクトをメッシュ表示にする処理、前記第２のオブジェクトを他のオブジェクトに切り替える処理、前記第２のオブジェクトの形状を変更する処理、前記第２のオブジェクトの色を変更する処理、前記第２のオブジェクトの輝度を変更する処理、及び前記第２のオブジェクトのテクスチャを変更する処理の少なくとも１つであることを特徴とする画像生成装置。
【請求項１１】
オブジェクト空間内の所与の視点での画像を生成するための、コンピュータ読み取り可能な情報記憶媒体であって、
第１、第２のオブジェクトを含む複数のオブジェクトが配置されるオブジェクト空間を形成するオブジェクト空間形成手段と、
前記第１のオブジェクトをオブジェクト空間内で移動させるための演算を行う移動体演算手段と、
前記第１のオブジェクトと前記第２のオブジェクトとの位置関係に基づいて前記第２のオブジェクトの画像を変更する画像変更手段と、
オブジェクト空間内の所与の視点での画像を生成する画像生成手段として、
コンピュータを機能させるプログラムを記憶した情報記憶媒体。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
オブジェクト空間内の所与の視点での画像を生成する画像生成装置であって、
所与のオブジェクトの形状を円錐台、円柱及び円錐の少なくとも１つで近似した場合において、該円錐台、円柱及び円錐の上面及び底面の中心位置と半径とを影データとして記憶する影データ記憶手段と、
前記中心位置を投影面に投影した投影位置と前記半径とに基づき、前記所与のオブジェクトの影を生成する影生成手段と、
前記所与のオブジェクトと前記影の画像を含む画像であって、オブジェクト空間内の所与の視点において見える画像を生成する画像生成手段とを含むことを特徴とする画像生成装置。
【請求項２】
請求項１において、
前記影生成手段が、
前記所与のオブジェクトの前記影として、前記投影位置と前記半径とによりその頂点が特定される影オブジェクトを生成することを特徴とする画像生成装置。
【請求項３】
請求項２において、
前記影生成手段が、
第１のオブジェクトの影を表す影オブジェクトと、第２のオブジェクトの影を表す影オブジェクトとを繋ぐ繋ぎ影オブジェクトを生成することを特徴とする画像生成装置。
【請求項４】
請求項１乃至３のいずれかにおいて、
モデルオブジェクトが複数のパーツオブジェクトにより構成される場合において、
前記影生成手段が、
前記モデルオブジェクトの第１のパーツオブジェクト群については、前記投影位置と前記半径とに基づき影を生成し、
前記モデルオブジェクトの第２のパーツオブジェクト群については、パーツオブジェクトの頂点及びパーツオブジェクトの形状を近似する簡易オブジェクトの頂点のいずれかを前記投影面に投影した位置に基づき影を生成することを特徴とする画像生成装置。
【請求項５】
請求項４において、
前記第１のパーツオブジェクト群が、
前記モデルオブジェクトの腕を表すパーツオブジェクト、脚を表すパーツオブジェクト、頭部を表すパーツオブジェクト及び武器を表すパーツオブジェクトの少なくとも１つを含むことを特徴とする画像生成装置。
【請求項６】
請求項４又は５において、
前記影生成手段が、
前記第１のパーツオブジェクト群の中のパーツオブジェクトの影を表す影オブジェクトと、前記第２のパーツオブジェクト群の中のパーツオブジェクトの影を表す影オブジェクトとを繋ぐ繋ぎ影オブジェクトを生成することを特徴とする画像生成装置。
【請求項７】
オブジェクト空間内の所与の視点での画像を生成するための、コンピュータ読み取り可能な情報記憶媒体であって、
所与のオブジェクトの形状を円錐台、円柱及び円錐の少なくとも１つで近似した場合において、該円錐台、円柱及び円錐の上面及び底面の中心位置と半径とを影データとして記憶する影データ記憶手段と、
前記中心位置を投影面に投影した投影位置と前記半径とに基づき、前記所与のオブジェクトの影を生成する影生成手段と、
前記所与のオブジェクトと前記影の画像を含む画像であって、オブジェクト空間内の所与の視点において見える画像を生成する画像生成手段として、
コンピュータを機能させるプログラムを記憶した情報記憶媒体。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
オブジェクト空間内の所与の視点での画像を生成する画像生成装置であって、
少なくとも２つの足を有するキャラクタをオブジェクト空間内のゲームフィールド面上で移動させる演算を行う移動演算手段と、
前記キャラクタのモーションを再生するモーション再生手段と、
オブジェクト空間内の所与の視点において見える画像を生成する画像生成手段とを含み、
前記モーション再生手段が、
キャラクタの足がゲームフィールド面に接地している場合には、該足のゲームフィールド面内での移動を制限しながらキャラクタのモーションを再生することを特徴とする画像生成装置。
【請求項２】
請求項１において、
前記キャラクタのモーションデータを記憶するモーション記憶手段を含み、
前記モーション再生手段が、
前記モーションデータに基づき特定される基準モーションにおいてキャラクタの足がゲームフィールド面に接地している場合には、該足のゲームフィールド面内での移動が制限されるようにキャラクタのモーションを変形し、
前記基準モーションにおいて該足がゲームフィールド面から浮いている場合には、変形されたキャラクタのモーションを基準モーションに近づけるモーション補間を行うことを特徴とする画像生成装置。
【請求項３】
請求項１又は２において、
前記モーション再生手段が、
キャラクタの足がゲームフィールド面に接地している場合には足を接地位置に固定し、キャラクタの関節の位置をインバース・キネマティクスにより求めることを特徴とする画像生成装置。
【請求項４】
オブジェクト空間内の所与の視点での画像を生成する画像生成装置であって、
第１、第２、第３の関節を少なくとも有するキャラクタのモーションデータを記憶するモーション記憶手段と、
第１、第３の関節を結ぶベクトルの向きをワールド座標系のＸ軸に向けるためのＹロール角及びＺロール角とモーションデータに含まれるＸロール角とに基づき変換マトリクスを求め、第１、第３の関節を結ぶベクトルの向きに設定されるＸ’軸と、Ｘ’Ｙ’平面内に第２の関節が位置するように設定されるＹ’軸と、Ｘ’Ｙ’平面に直交するＺ’軸とからなるローカル座標系での第２の関節の位置を求め、該位置と前記変換マトリクスとに基づきＸ軸、Ｙ軸、Ｚ軸からなるワールド座標系での第２の関節の位置を求める手段と、
求められた第２の関節の位置と、前記モーションデータにより特定される第１、第３の関節の位置とに基づき、前記キャラクタのモーションを再生するモーション再生手段と、
オブジェクト空間内の所与の視点において見える画像を生成する画像生成手段とを含むことを特徴とする画像生成装置。
【請求項５】
オブジェクト空間内の所与の視点での画像を生成するための、コンピュータ読み取り可能な情報記憶媒体であって、
少なくとも２つの足を有するキャラクタをオブジェクト空間内のゲームフィールド面上で移動させる演算を行う移動演算手段と、
前記キャラクタのモーションを再生するモーション再生手段と、
オブジェクト空間内の所与の視点において見える画像を生成する画像生成手段として、
コンピュータを機能させるプログラムを記憶し、
前記モーション再生手段が、
キャラクタの足がゲームフィールド面に接地している場合には、該足のゲームフィールド面内での移動を制限しながらキャラクタのモーションを再生することを特徴とする情報記憶媒体。
【請求項６】
オブジェクト空間内の所与の視点での画像を生成するための、コンピュータ読み取り可能な情報記憶媒体であって、
第１、第２、第３の関節を少なくとも有するキャラクタのモーションデータを記憶するモーションデータ記憶手段と、
第１、第３の関節を結ぶベクトルの向きをワールド座標系のＸ軸に向けるためのＹロール角及びＺロール角とモーションデータに含まれるＸロール角とに基づき変換マトリクスを求め、第１、第３の関節を結ぶベクトルの向きに設定されるＸ’軸と、Ｘ’Ｙ’平面内に第２の関節が位置するように設定されるＹ’軸と、Ｘ’Ｙ’平面に直交するＺ’軸とからなるローカル座標系での第２の関節の位置を求め、該位置と前記変換マトリクスとに基づきＸ軸、Ｙ軸、Ｚ軸からなるワールド座標系での第２の関節の位置を求める手段と、
求められた第２の関節の位置と、前記モーションデータにより特定される第１、第３の関節の位置とに基づき、前記キャラクタのモーションを再生するモーション再生手段と、
オブジェクト空間内の所与の視点において見える画像を生成する画像生成手段として、
コンピュータを機能させるプログラムを記憶した情報記憶媒体。
【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
ディスク（３）に記録された情報を再生するピックアップ（２０）及びディスクを回転駆動するディスク駆動モータ（１７）を含むディスク再生機１０と、コンパクトカセット（５）内のテープに記録された情報を再生する、前記ディスク駆動モータより軸方向寸法の大きなテープ駆動モータ（１６）を含むテープ再生機（１１）とを、車両内の所定の収納空間に収まる略直方形のキャビネット（１）内に組み込み、キャビネットの前面（２）には、ディスクを前記ディスク再生機へ記録面を下方に向けて挿入させるデイスク挿入口（４）と、コンパクトカセットを前記テープ再生機へテープ面を右方に向けて挿入させるカセット挿入口（６）とを設けた車載用ディスク及びテープ再生装置において、前記ディスク挿入口の左右幅中心（４ａ）を前記カセット挿入口（６ａ）の左右幅中心より左方に位置させ、且つディスク挿入口を上側にしてディスク挿入口とカセット挿入口とを上下に重ねて配置し、前記ディスク駆動モータを、前記テープ駆動モータより前方で、且つディスク駆動モータの下面をテープ駆動モータの上面より下方に位置させて配置し、前記ディスク挿入口の左右幅中心と前記ディスク駆動モータの中心とを結ぶ線（１９）を、平面図上においてディスクの挿入方向と一致させ、前記ディスク駆動モータと前記キャビネットの左端前部との間を、前記ピックアップの移動領域としたことを特徴とする車載用ディスク及びテープ再生装置。
【請求項２】
前記キャビネット内における、前記テープ再生機の上方で、且つ前記ディスク再生機の右方の空間に、前記ディスク挿入口より挿入されたディスクをディスク再生位置へ搬送するディスクローディング機構（２１）を配置し、前記キャビネット内における、前記ディスク再生機の下方で、且つ前記テープ再生機の左方の空間と、キャビネットの後部空間とに回路部品（２２）を配置したことを特徴とする請求項１に記載の車載用ディスク及びテープ再生装置。
【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
回転する光ディスクを支持する回転軸と、その光ディスク下面に対向する平面を有する支持台と、前記支持台の平面に前記光ディスクの半径方向に沿って設けられたスリットと、前記スリットに沿って移動し、前記スリットを通じて前記光ディスクに記録されたデータを読み出すピックアップユニットとを有する光ディスク装置において、
前記支持台の平面には、前記光ディスクの回転方向に対して前記スリットの直前に、スリットに沿った登り段差が形成されていることを特徴とする光ディスク装置。
【請求項２】
前記登り段差は、前記スリットの直前に凸状部を形成することにより形成されることを特徴とする請求項１に記載の光ディスク装置。
【請求項３】
前記登り段差は、前記スリットの手前を切り欠くことにより形成されることを特徴とする請求項１に記載の光ディスク装置。
【請求項４】
前記登り段差は、前記スリットの直前に凸状部を形成するとともに、その凸状部手前を切り欠くことにより形成されることを特徴とする請求項１に記載の光ディスク装置。
【請求項５】
前記登り段差は、前記光ディスクの外周部側ほど小さくなるように形成されていることを特徴とする請求項１乃至４のいずれかに記載の光ディスク装置。
【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
少なくともレーザー光を出射するレーザー光源と該レーザー光の位相を変調する液晶位相変調素子と該液晶位相変調素子で変調された光束を集光する集光光学系とから構成される光学装置において、該液晶位相変調素子の機能は電気信号で制御され、かつ該液晶位相変調素子は該集光光学系で集光される光束に対して該光束の光軸を中心としたほぼ円形領域と該円形領域以外の輪帯領域とに独立して機能する二ヶ所の部位から構成され、前記円形領域と前記輪帯領域とにそれぞれ透明電極パターンを形成することによって、前記円形領域と前記輪帯領域とを透過するレーザ光に相対位相差が発生することを防止するように構成し、かつ該液晶位相変調素子の位相変調量は該レーザー光のほぼ半波長程度もしくは半波長プラス波長の整数倍程度である事を特徴とする光学装置。
【請求項２】
レーザー光として直線偏光レーザー光を用い、かつ該液晶位相変調素子は平行配向型液晶素子から構成され、該直線偏光レーザー光の偏光軸方向は該平行配向型液晶素子の液晶分子配向軸の方向とほぼ一致するように構成されている事を特徴とする特許請求の範囲第１項記載の光学装置。
【手続補正書】
【提出日】平成17年3月11日(2005.3.11)
【手続補正１】
【補正対象書類名】明細書
【補正対象項目名】発明の名称
【補正方法】変更
【補正の内容】
【発明の名称】受発光素子とその製造方法、光学装置、光学ピックアップ及び光ディスク装置
【手続補正２】
【補正対象書類名】明細書
【補正対象項目名】特許請求の範囲
【補正方法】変更
【補正の内容】
【特許請求の範囲】
【請求項１】
発光素子と受光素子をパッケージ内に収納し、その上部にホログラム素子を配して成る受発光素子であって、
上記発光素子及び上記受光素子を配する基板と上記ホログラム素子の互いに対応する位置に異なる形状のマーキングを施し、
上記両マーキングを合せることにより、上記パッケージ内の発光素子、受光素子と上記ホログラム素子を互いに位置決めした
ことを特徴とする受発光素子。
【請求項２】
請求項１に記載の受発光素子において、
上記基板側のマーキングを上記受光素子の外周側に施し、このマーキングに対応して上記ホログラム素子側にマーキングを施した
ことを特徴とする受発光素子。
【請求項３】
発光素子と受光素子をパッケージ内に収納し、その上部にホログラム素子を配して成る受発光素子の製造方法であって、
上記発光素子及び上記受光素子を配する基板と上記ホログラム素子の互いに対応する位置に異なる形状のマーキングを施しておき、
上記基板を上記パッケージ内に収納固定した後、上記ホログラム素子を上記パッケージ上に、上記両マーキングを互いに対応合致させることにより光学調整を行うようにしたことを特徴とする受発光素子の製造方法。
【請求項４】
請求項３に記載の受発光素子の製造方法において、
上記基板側のマーキングを上記受光素子の外周側に施し、このマーキングに対応して上記ホログラム素子側にマーキングを施した
ことを特徴とする受発光素子の製造方法。
【請求項５】
発光素子と受光素子をパッケージ内に収納し、その上部にホログラム素子を配して成る受発光素子を有する光学装置であって、
上記発光素子及び上記受光素子を配する基板と上記ホログラム素子の互いに対応する位置に異なる形状のマーキングを施し、
上記両マーキングを合せることにより、上記パッケージ内の発光素子、受光素子と上記ホログラム素子を互いに位置決めした
ことを特徴とする光学装置。
【請求項６】
少なくとも、受発光素子と、上記受発光素子からの出射光を集光させて光スポットを形成する対物レンズとを有する光学ピックアップにおいて、
上記受発光素子は、発光素子と受光素子をパッケージ内に収納し、その上部にホログラム素子を配して成る受発光素子であって、
上記発光素子及び上記受光素子を配する基板と上記ホログラム素子の互いに対応する位置に異なる形状のマーキングを施し、
上記両マーキングを合せることにより、上記パッケージ内の発光素子、受光素子と上記ホログラム素子を互いに位置決めした
ことを特徴とする光学ピックアップ。
【請求項７】
受発光素子からの出射光を対物レンズにより光ディスクの信号記録面上に光を集光させる光学ピックアップを有し、上記受発光素子の発光素子からの出射光が上記光ディスクの信号記録面に照射され、上記光ディスクからの戻り光が少なくとも上記対物レンズを介して上記受発光素子の受光素子により検出されて上記光ディスクの少なくとも情報信号の読み出しがなされる光ディスク装置において、
上記受発光素子は、発光素子と受光素子をパッケージ内に収納し、その上部にホログラム素子を配して成る受発光素子であって、
上記発光素子及び上記受光素子を配する基板と上記ホログラム素子の互いに対応する位置に異なる形状のマーキングを施し、
上記両マーキングを合せることにより、上記パッケージ内の発光素子、受光素子と上記ホログラム素子を互いに位置決めした
ことを特徴とする光ディスク装置。
【手続補正３】
【補正対象書類名】明細書
【補正対象項目名】０００１
【補正方法】変更
【補正の内容】
【０００１】
【発明の属する技術分野】
本発明は、例えば、光ディスク記録及び／又は再生装置、光磁気ディスク記録再生装置等の光ディスク装置に備える光学ピックアップの受発光素子に適用して好適な受発光素子とその製造方法、光学装置、光学ピックアップ及び光ディスク装置に関する。
【手続補正書】
【提出日】平成17年6月21日(2005.6.21)
【手続補正１】
【補正対象書類名】明細書
【補正対象項目名】０００４
【補正方法】変更
【補正の内容】
【０００４】
【課題を解決するための手段】
本発明のシリコーンゲルサスペンジョンは、界面活性剤水溶液中に、平均粒子径が０.１〜１００μｍであるシリコーンゲル粒子が分散していることを特徴とする。
また、本発明のシリコーンゲルサスペンジョンの製造方法は、界面活性剤水溶液中にシリコーンゲル組成物を、その平均粒径が０.１〜１００μｍとなるように分散させて硬化させることを特徴とする。
【手続補正２】
【補正対象書類名】明細書
【補正対象項目名】０００８
【補正方法】変更
【補正の内容】
【０００８】
また、本発明のシリコーンゲルサスペンジョン中のシリコーンゲル粒子には、シリコーンオイルを予め添加してもよい。このシリコーンオイルとしては、このシリコーンゲル粒子の形成反応に関与しないものであることが好ましく、例えば、分子鎖両末端トリメチルシロキシ基封鎖ジメチルポリシロキサン、分子鎖両末端トリメチルシロキシ基封鎖メチルフェニルポリシロキサンが挙げられる。このシリコーンオイルの添加量は、シリコーンゲル粒子の１０重量％以下であることが好ましく、さらには、５重量％以下であることが好ましく、特には、０.５重量％以下であることが好ましい。また、このシリコーンゲル粒子には、予め、その強度向上や比重調節のために、シリカ微粉末、酸化鉄、アルミノケイ酸塩等の無機質充填剤、その表面を有機ケイ素化合物により疎水化処理した無機質充填剤等を添加してもよい。
【手続補正３】
【補正対象書類名】明細書
【補正対象項目名】００１３
【補正方法】変更
【補正の内容】
【００１３】
また、ヒドロシリル化反応用触媒としては、白金系触媒、ロジウム系触媒、パラジウム系触媒が例示され、特にヒドロシリル化反応がスムーズに進行することから、白金系触媒であることが好ましい。この白金系触媒としては、塩化白金酸、塩化白金酸のアルコール溶液、白金のオレフィン錯体、白金のアルケニルシロキサン錯体が例示される。このヒドロシリル化反応用触媒の配合量は、上記のヒドロシリル化反応硬化性シリコーンゲル組成物を硬化させるに十分な量あればよく、具体的には、このヒドロシリル化反応用触媒として、白金系触媒を用いる場合には、上記のアルケニル基含有オルガノポリシロキサンとケイ素原子結合水素原子含有オルガノポリシロキサンの合計量に対する白金金属の重量が０.１〜１００ppmとなるような量であることが好ましく、特に反応性がスムーズに進行し、なおかつ、得られるシリコーンゲル粒子に着色を生じにくいことから、1〜５０ppmの範囲内の量であることが好ましい。
【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
セラミックス母材をセラミックス繊維織物による補強材によって補強して成るセラミックス複合材料において、
前記補強材の織糸間隔が、気密性を要する部位は密に、その他の部位は粗く設定されていることを特徴とするセラミックス複合材料。
【請求項２】
セラミックス母材をセラミックス繊維織物による補強材によって補強して成るセラミックス複合材料において、
前記補強材の織糸間隔が、内部は密に、外面側は粗く設定されていることを特徴とするセラミックス複合材料。
【請求項３】
上記補強材は、少なくとも一方向の織糸の太さが上記織糸間隔に対応して織糸間隔が粗い部位では太く設定されていることを特徴とする請求項１又は２に記載のセラミックス複合材料。
【請求項４】
セラミックス母材をセラミックス繊維織物による補強材によって補強して円筒状に形成されるセラミックス複合材料において、
前記補強材はブレード織りによって肉厚方向に多重に形成され、その織糸の間隔が、内周面側は密に、外周面側は粗く設定されており、上記織糸の太さはその間隔の粗密に対応し、当該織糸間隔が粗い部位では太く設定されていることを特徴とするセラミックス複合材料。
【手続補正２】
【補正対象書類名】明細書
【補正対象項目名】００１０
【補正方法】変更
【補正の内容】
【００１０】
また、セラミックス母材をセラミックス繊維織物による補強材によって補強して円筒状に形成されるセラミックス複合材料において、前記補強材はブレード織りによって肉厚方向に多重に形成され、その織糸の間隔が、内周面側は密に、外周面側は粗く設定されており、上記織糸の太さはその間隔の粗密に対応し、当該織糸間隔が粗い部位では太く設定されていることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００３１
【補正方法】変更
【補正の内容】
【００３１】
加えて、織糸の太さはその間隔の粗密に対応し、当該織糸間隔が粗い部位では太く設定されていることにより、単位体積当たりの補強繊維量を各部位において等しく設定することが可能となり、全体の強度を一定に構成できるものである。
【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
下記一般式〔Ｉ〕で示されるアルケニルコハク酸及びその水溶性塩と下記式〔ＩＩ〕で示されるアミノテトラゾール及びその水溶性塩を併用することからなる水溶性鉄用防錆剤。
【化１】
2000026982.tif 000001
【手続補正２】
【補正対象書類名】明細書
【補正対象項目名】０００６
【補正方法】変更
【補正の内容】
【０００６】
【化２】
2000026982.tif 000002
【手続補正書】
【提出日】平成17年7月4日(2005.7.4)
【手続補正１】
【補正対象書類名】明細書
【補正対象項目名】発明の名称
【補正方法】変更
【補正の内容】
【発明の名称】アクリル系プレミックスおよびアクリル系人工大理石
【手続補正２】
【補正対象書類名】明細書
【補正対象項目名】特許請求の範囲
【補正方法】変更
【補正の内容】
【特許請求の範囲】
【請求項１】
アクリル系単量体（ａ）及びアクリル系重合体（ｂ）からなるアクリル系樹脂組成物（Ａ）１００重量部、無機充填剤（Ｂ）１０〜４００重量部、硬化剤（Ｃ）０．０１〜１０重量部、下記一般式（Ｉ）及び（II）で示される少なくとも１種の反応性シリコーン（Ｄ）０．０１〜１０重量部からなることを特徴とするアクリル系プレミックス。
【化１】
2000026557.tif 000001
（式中、Ｒ1は水素原子又はメチル基、Ｒ2は炭素数１〜５のアルキレン基、Ｒ3、Ｒ4は炭素数１〜４のアルキル基、ｍは５〜２００の整数を表す。）
【化２】
2000026557.tif 000002
（式中、Ｒ1は水素原子又はメチル基、Ｒ2は炭素数１〜５のアルキレン基、Ｒ3は炭素数１〜４のアルキル基、ｎは５〜２００の整数を表す。）
【請求項２】
さらに無機充填剤含有樹脂粒子（Ｅ）を含有する請求項１記載のアクリル系プレミックス。
【請求項３】
請求項１記載のアクリル系プレミックスを硬化することにより得られるアクリル系人工大理石。
【手続補正３】
【補正対象書類名】明細書
【補正対象項目名】０００８
【補正方法】変更
【補正の内容】
【０００８】
すなわち、本発明は、アクリル系単量体（ａ）及びアクリル系重合体（ｂ）からなるアクリル系樹脂組成物（Ａ）１００重量部、無機充填剤（Ｂ）１０〜４００重量部、硬化剤（Ｃ）０．０１〜１０重量部、下記一般式（Ｉ）及び（II）で示される少なくとも１種の反応性シリコーン（Ｄ）０．０１〜１０重量部、並びにこれらに加えてさらに所望により無機充填剤含有樹脂粒子（Ｅ）からなることを特徴とするアクリル系プレミックスなる発明；該アクリル系プレミックスを硬化して得られるアクリル系人工大理石なる発明である。
【手続補正書】
【提出日】平成17年7月8日(2005.7.8)
【手続補正１】
【補正対象書類名】明細書
【補正対象項目名】００４９
【補正方法】変更
【補正の内容】
【００４９】
Ｒ1、Ｒ19、Ｒ20、Ｒ21の置換もしくは無置換のアルキル基としては炭素数１〜５の直鎖又は分岐鎖のアルキル基であり、これらのアルキル基はさらにハロゲン原子、フェニル基、炭素数１〜５の直鎖又は分岐鎖のアルキル基で置換されたフェニル基を含有してもよい。具体的には、メチル基、エチル基、ｎ−プロピル基、イソープロピル基、ｔ−ブチル基、ｓ−ブチル基、ｎ−ブチル基、イソ−ブチル基、トリフルオロメチル基、ベンジル基、４−クロロベンジル基、４−メチルベンジル基等が挙げられる。
【手続補正２】
【補正対象書類名】明細書
【補正対象項目名】００５１
【補正方法】変更
【補正の内容】
【００５１】
Ａｒ1、Ａｒ2，Ａｒ4、Ａｒ5の置換もしくは無置換のアリーレン基としてはＲ1、Ａｒ3で定義された置換もしくは無置換のアリール基から誘導される２価基を挙げることができる。